(57)【要約】【課題】遊技機に複数の不正検出センサを設置し、検出信号より不正検出センサ毎に予め定めた不正データを抽出し、遊技機毎に通信回線を経由して不正監視サーバ装置に通知する遊技機の不正防止装置の提案を目的とする。【解決手段】遊技機の不正改造、ＣＰＵボックス１０４の不正交換並びに不正開封などの不正操作を検出する複数のセンサ手段２と、該複数のセンサ手段２からのアナログ検出信号よりデジタル検出データを変換出力する検出データ変換手段３と、該複数のデジタル検出データより不正検出データを選択出力する不正検出手段４と、該不正検出データを直接伝送もしくはＬＡＮなどの通信回線２０１を経由して、不正行為を監視している監視サーバ装置２００に通信出力する通信制御手段５とで構成する。【選択図】  図１
2004223186.tif 000002
【特許請求の範囲】
【請求項１】
パチンコゲーム機などの遊技機と、該遊技機の当りの確率を制御する制御基板（以下  ＣＰＵと云う）及び制御プログラムを記憶しているメモリ（以下  ＲＯＭと云う）などを封印内蔵しているＣＰＵボックスなどで構成する遊技場装置に置いて、
前記遊技機の不正改造、前記ＣＰＵボックスの不正交換並びに不正開封などの不正操作を検出する複数のセンサ手段と、該複数のセンサ手段からのアナログ検出信号よりデジタル検出データを変換出力する検出データ変換手段と、該複数のデジタル検出データより不正検出データを選択出力する不正検出手段と、該不正検出データを直接伝送もしくはＬＡＮ（Ｌｏｃａｌ  Ａｒｅａ  Ｎｅｔｗｏｒｋ）などの通信回線を経由して、不正行為を監視している監視サーバ装置に通信出力する通信制御手段とで構成することを特徴とする遊技機の不正防止装置。
【請求項２】
前記センサ手段を、プラスッチックシートなどのフレキ基板（Ｍ）と、前記フレキ基板（Ｍ）上に独立形成されたＣＯＭ導体パターン、ＧＮＤ導体パターンおよびＯＵＴ導体パターンと、前記ＣＯＭ導体パターンとＯＵＴ導体パターン間に形成もしくは接続された抵抗体と、前記フレキ基板（Ｍ）にスペーサを挟んで接着もしくは糊着されたフレキ基板（Ｓ）と、前記フレキ基板（Ｓ）のフレキ基板（Ｍ）側に形成され、前記ＣＯＭ導体パターンとＧＮＤ導体パターンとに交差配置された第一のスイッチ導体パターンと、同じくＯＵＴ導体パターンとＧＮＤ導体パターンとに交差配置された第二のスイッチ導体パターンと、前記フレキ基板（Ｓ）のフレキ基板（Ｍ）側にスペーサもしくは弾性体上に形成され、前記ＣＯＭ導体パターンとＯＵＴ導体パターンとに交差配置された剥離スイッチ導体パターンとで構成されるフレキセンサとすることを特徴とする請求項１に記載の遊技機の不正防止装置。
【請求項３】
前記センサ手段を、磁束線を検出する磁気センサとすることを特徴とする請求項１に記載の遊技機の不正防止装置。
【請求項４】
前記センサ手段を、透明フィルム上に形成された透明ＣＯＭ導体パターンと、同じく透明ＯＵＴ導体パターンと、同じく透明ＧＮＤ導体パターンとで構成し、電波信号又はインパルス信号などの電磁波を受信する電磁波センサとすることを特徴とする請求項１に記載の遊技機の不正防止装置。
【請求項５】
前記検出データ変換手段を、前記センサ手段の検出信号を増幅しアナログ出力するバッファアンプと、アナログ出力信号をデジタルデータに変換するＡ／Ｄ（Ａｎａｌｏｇ  ｔｏ  Ｄｉｇｉｔａｌ  Ｃｏｎｖｅｒｔｅｒ）とで構成することを特徴とする請求項１に記載の遊技機の不正防止装置。
【請求項６】
前記検出データ変換手段を、前記センサ手段の検出信号の所定周波数帯を選択増幅しアナログ出力するＢＰ（Ｂａｎｄ  Ｐａｓｓ）アンプと、該アナログ出力信号を検波出力する検波部と、該アナログ検波出力信号をデジタルデータに変換するＡ／Ｄとで構成することを特徴とする請求項１に記載の遊技機の不正防止装置。
【請求項７】
前記検出データ変換手段を、高入力インピーダンス回路であって前記センサ手段の検出信号を増幅しアナログ出力する高インペーダンス変換部と、アナログ出力信号をデジタルデータに変換するＡ／Ｄとで構成することを特徴とする請求項１に記載の遊技機の不正防止装置。
【請求項８】
前記不正検出手段を、複数のデジタル検出データを選択入力もしくは選択出力するマルチプレクサ又は選択スイッチと、センサ毎に不正判定する不正判定閾値を記憶している選択条件メモリと、前記不正判定閾値とデジタル検出データとを比較演算してセンサ毎の不正データを演算出力する閾値検出部と、前記マルチプレクサ又は選択スイッチ、閾値検出部及び選択条件メモリなどの動作を制御する選択制御部とで構成することを特徴とする請求項１に記載の遊技機の不正防止装置。
【請求項９】
前記通信制御手段を、無線伝送手段による通信制御を行う無線送信部とすることを特徴とする請求項１に記載の遊技機の不正防止装置。
【発明の詳細な説明】
【０００１】
【発明の属する技術分野】
本発明は、パチンコゲームなどの遊技機に対する不正操作、該ＣＰＵボックスの不正交換、不正開封など複数種の不正操作を検出し監視サーバ装置に通知する遊技機の不正防止装置に係わる。
【０００２】
【従来の技術】
遊技場に設置されたパチンコゲームなどの遊技機は、不正に大当りを得る目的で、夜間や従業員に目の届かない所で、ＣＰＵユニットを開封しての制御回路の一部改造やＲＯＭの無断交換、不正改造したＣＰＵユニットとの交換、遊技機とＣＰＵユニット間の接続ケーブルに不正動作部品を追加接続、遊技機を開放しての内部改造など、多くの不正攻撃を受けている。ＣＰＵユニットの開封や遊技機の開放など個別には不正行為の検出装置が在るが、複数の不正行為に一元的に対応出来る遊技機の不正防止装置は存在していない。
全てに対応する場合、複数種の不正防止装置を設置して、複数の通信回線を経由して不正データを不正監視サーバ装置に通知必要があり、機器費用、設置費用共に高く付き追加設置が躊躇される。
【０００３】
【発明が解決しようとする課題】
以上に説明した問題点に鑑み、遊技機に複数の不正検出センサを設置し、検出信号より不正検出センサ毎に予め定めた不正データを抽出し、遊技機毎に通信回線を経由して不正監視サーバ装置に通知する遊技機の不正防止装置の提案を目的とする。
【０００４】
【課題を解決するための手段】
遊技機の不正防止装置を、
パチンコゲーム機などの遊技機と、該遊技機の当りの確率を制御するＣＰＵ及び制御プログラムを記憶しているＲＯＭなどを封印内蔵しているＣＰＵボックスなどで構成する遊技場装置に置いて、
遊技機の不正改造、ＣＰＵボックスの不正交換並びに不正開封などの不正操作を検出する複数のセンサ手段と、該複数のセンサ手段からのアナログ検出信号よりデジタル検出データを変換出力する検出データ変換手段と、該複数のデジタル検出データより不正検出データを選択出力する不正検出手段と、該不正検出データを直接伝送もしくはＬＡＮなどの通信回線を経由して、不正行為を監視している監視サーバ装置に通信出力する通信制御手段とで構成する。
【０００５】前記センサ手段を、
プラスッチックシートなどのフレキ基板（Ｍ）と、フレキ基板（Ｍ）上に独立形成されたＣＯＭ導体パターン、ＧＮＤ導体パターンおよびＯＵＴ導体パターンと、ＣＯＭ導体パターンとＯＵＴ導体パターン間に形成もしくは接続された抵抗体と、フレキ基板（Ｍ）にスペーサを挟んで接着もしくは糊着されたフレキ基板（Ｓ）と、フレキ基板（Ｓ）のフレキ基板（Ｍ）側に形成され、ＣＯＭ導体パターンとＧＮＤ導体パターンとに交差配置された第一のスイッチ導体パターンと、同じくＯＵＴ導体パターンとＧＮＤ導体パターンとに交差配置された第二のスイッチ導体パターンと、フレキ基板（Ｓ）のフレキ基板（Ｍ）側にスペーサもしくは弾性体上に形成され、ＣＯＭ導体パターンとＯＵＴ導体パターンとに交差配置された剥離スイッチ導体パターンとで構成されるフレキセンサとする。
【０００６】前記センサ手段を、
磁束線を検出する磁気センサとする
【０００７】前記センサ手段を、
透明フィルム上に形成された透明ＣＯＭ導体パターンと、同じく透明ＯＵＴ導体パターンと、同じく透明ＧＮＤ導体パターンとで構成し、電波信号又はインパルス信号などの電磁波を受信する電磁波センサとする。
【０００８】前記検出データ変換手段を、
センサ手段の検出信号を増幅しアナログ出力するバッファアンプと、アナログ出力信号をデジタルデータに変換するＡ／Ｄとで構成する。
【０００９】前記検出データ変換手段を、
センサ手段の検出信号を所定周波数帯を選択増幅しアナログ出力するＢＰアンプと、該アナログ出力信号を検波出力する検波部と、該アナログ検波出力信号をデジタルデータに変換するＡ／Ｄとで構成する。
【００１０】前記検出データ変換手段を、
高入力インピーダンス回路であってセンサ手段の検出信号を増幅しアナログ出力する高インペーダンス変換部と、アナログ出力信号をデジタルデータに変換するＡ／Ｄとで構成する。
【００１１】前記不正検出手段を、
複数のデジタル検出データを選択入力もしくは選択出力するマルチプレクサ又は選択スイッチと、センサ毎に不正判定する不正判定閾値を記憶している選択条件メモリと、不正判定閾値とデジタル検出データとを比較演算してセンサ毎の不正データを演算出力する閾値検出部と、マルチプレクサ又は選択スイッチ、閾値検出部及び選択条件メモリなどの動作を制御する選択制御部とで構成する。
【００１２】前記通信制御手段を、
無線伝送手段による通信制御を行う無線送信部とする。
【００１３】
【発明の実施の形態】
図１に示す本発明による遊技機の不正防止システムの第一の実施例の構成図を用いて、概略構成を説明する。
第一の実施例の遊技機の不正防止システムは、
パチンコゲーム機などの遊技機本体１００と、外枠１０３、該遊技機の当りの確率を制御するＣＰＵ及び制御プログラムを記憶しているＲＯＭなどを封印している封印バンド１０５、封印コネクタ１０６などを内蔵しているＣＰＵボックス１０４、ＣＰＵボックス１０４を外枠１０３にホック止めするホック１０７などで構成する遊技場装置に置いて、
遊技機の不正改造、ＣＰＵボックス１０４の不正交換並びに不正開封などの不正操作を検出する複数のセンサ手段２（Ｓ１、Ｓ２、Ｓｎ）と、該複数のセンサ手段２からのアナログ検出信号よりデジタル検出データを変換出力する検出データ変換手段３と、該複数のデジタル検出データより不正検出データを選択出力する不正検出手段４と、該不正検出データを直接伝送もしくはＬＡＮなどの通信回線２０１を経由して、不正行為を監視している監視サーバ装置２００に通信出力する通信制御手段５とで構成された遊技機の不正防止装置１を有する。
【００１４】図２および図３に示す本発明による各種センサの実施例の構成図を用いて、センサの構成と動作を説明する。
【００１５】図２（１）はフレキセンサの分解構成図である。
実施例のフレキセンサは、
プラスッチックシートなどのフレキ基板（Ｍ）２０と、フレキ基板（Ｍ）２０上に独立形成されたＣＯＭ導体パターン２０ａ、ＧＮＤ導体パターン２０ｂおよびＯＵＴ導体パターン２０ｃと、ＣＯＭ導体パターン２０ａとＯＵＴ導体パターン２０ｃ間に形成もしくは接続された抵抗体２０Ｒと、ＣＯＭ導体パターン２０ａの中間に形成もしくは接続された抵抗体２０ｒと、フレキ基板（Ｍ）２０にスペーサ２１ａを挟んで接着もしくは糊着されたフレキ基板（Ｓ）２１と、フレキ基板（Ｓ）２１のフレキ基板（Ｍ）２０側に形成され、ＣＯＭ導体パターン２０ａとＧＮＤ導体パターン２０ｂとに交差配置された第一のスイッチ導体パターン２１ｂと、同じくＯＵＴ導体パターン２０ｃとＧＮＤ導体パターン２０ｂとに交差配置された第二のスイッチ導体パターン２１ｃと、フレキ基板（Ｓ）２１のフレキ基板（Ｍ）２０側に接着又は糊着されたスペーサもしくは弾性体２１ｅ上に形成され、ＣＯＭ導体パターン２０ａとＯＵＴ導体パターン２０ｃとに交差配置された剥離スイッチ導体パターン２１ｄとで構成されている。
【００１６】図２（２）は、前記フレキセンサの等価回路図である。
ＳＷ１とＳＷ３の可動端子は、第一のスイッチ導体パターン２１ｂと第二のスイッチ導体パターン２１ｃとで形成され、フレキ基板（Ｓ）２１に力が加えられない限りｏｆｆ状態であるが、フレキ基板（Ｓ）２１に力が加えられるとｏｎとなる。このフレキセンサＳ１をＣＰＵボックス１０４の外部コネクタ部に接着している場合、コネクタを外そうとすると、フレキ基板（Ｓ）２１に力が加えられｏｎとなる。
【００１７】ＳＷ２の可動端子は、スペーサもしくは弾性体２１ｅ上に形成された剥離スイッチ導体パターン２１ｄで形成され、通常、抵抗体２０Ｒの両端を短絡している。弾性体２１ｅの厚みがスペーサ２１ａより薄い場合、ｏｆｆ状態である。
図１のＳ１のように封印バンド１０５により圧力が加わるとｏｎ状態となり、不正行為により封印バンド１０５が切断もしくは緩められると、圧力が無くなりｏｆｆ状態となる。
【００１８】ＣＯＭ導体パターン２０ａ、ＧＮＤ導体パターン２０ｂおよびＯＵＴ導体パターン２０ｃの一端はリード線２０１、２０２、２０３を介して検出データ変換手段３に接続される。
【００１９】図２（３）は、磁気センサの構成図である。基板もしくはフィルム２２上にＣＯＭ導体パターン２２ａ、ＧＮＤ導体パターン２２ｂおよびＯＵＴ導体パターン２２ｃが独立形成され、超小型の磁気感応素子（ＭＲ素子）２２Ｍが接続されており、遊技機本体１００に磁石が近づくと磁力線を検出する。
【００２０】図３（４）は、電磁波センサ構成図である。透明のポリエステルフィルム２３上に、透明の電極パターン２３ａ、２３ｃを蒸着しアンテナを形成する。電極パターン形状は受信したい周波数帯により適切に選択される。
受信信号は、一般的に外乱ノイズを少なくすためシルード付平衡ケーブル２３４により検出データ変換手段３に供給される。
【００２１】図３（５）は、超音波センサで、基板もしくはフィルム２２上にＣＯＭ導体パターン２５ａ、ＧＮＤ導体パターン２５ｂおよびＯＵＴ導体パターン２５ｃが独立形成され、超小型の超音波マイクロホン２５Ｕが接続されており、遊技機本体１００のガラス窓の一部分に貼着され、遊技機のガラスの破損音などを検出する。
【００２２】図４に示す本発明による遊技機の不正防止装置の第二の実施例の構成図を用いて、詳細構成と動作を説明する。
第二の実施例の遊技機の不正防止装置１は、
複数のセンサ手段２と、
検出信号を増幅しアナログ信号を出力するバッハーアンプ３１、３３、平衡型バッハーアンプ３６、高入力インピーダンス回路であって検出信号を増幅しアナログ出力する高インピーダンスアンプ３８、所定周波数帯を選択増幅しアナログ出力するＢＰアンプ３４、超高周波信号を選択増幅しアナログ出力する高周波ＢＰアンプ３７、該アナログ出力信号を検波出力する検波部３５、ＬＰＦ（ＬｏｗＰａｓｓ  Ｆｉｌｔｅｒ）３９、アナログ信号をデジタルデータに変換するＡ／Ｄ３２などを有する検出データ変換手段と、
複数のデジタル検出データを選択入力もしくは選択出力するマルチプレクサ４０、閾値検出部４１、センサ毎に不正判定する不正判定閾値を記憶している選択条件メモリ４５、不正判定閾値とデジタル検出データとを比較演算してセンサ毎の不正データを演算出力する閾値検出部４１、閾値検出部４１及び選択条件メモリ４５などの動作を制御する選択制御部４３、センサ種別ＩＤや装置ＩＤを記憶しているＩＤメモリ４４、不正データにＩＤを付加するした不正通知データを生成するＩＤ重畳部４２などを有する不正検出手段４と、
不正通知データを直接接続やＬＡＮ手段などによる通信回線２０１を経由して監視サーバ装置に通信接続する通信制御手段５とで構成されている。
【００２３】検出データ変換手段の動作を、センサ種別に説明する。
第一に、フレキセンサや磁気センサの出力は、バッファーアンプ３１により増幅されＡ／Ｄ３２によりデジタルデータに変換され検出データとして、不正検出手段４に入力される。
【００２４】
第二に、超音波センサの出力は、バッファーアンプ３１で増幅されると共にバンドパスフィルタを内蔵したＢＰアンプ３４により目的とする超音波信号を出力する。検波部３５は該超音波信号を包絡線検波して検波出力する、該検波出力信号はＡ／Ｄ３２によりデジタルデータに変換され検出データとして、不正検出手段４に入力される。
【００２５】
第三に、超音波センサの出力は、平衡型バッハーアンプ３６でで増幅されると共に高周波バンドパスフィルタを内蔵した高周波ＢＰアンプ３７により高周波信号を出力する。検波部３５は高周波信号を包絡線検波して検波出力する、該検波出力信号はＡ／Ｄ３２によりデジタルデータに変換され検出データとして、不正検出手段４に入力される。
【００２６】
第四に、接触センサの出力は、高インピーダンスアンプ３８で増幅されＬＰＦ３９でノイズ成分を除去され、Ａ／Ｄ３２よりデジタルデータに変換され検出データとして、不正検出手段４に入力される。
【００２７】［不正検出手段の動作］
検出データ変換手段３からの複数の検出データは、選択制御部４４の選択指令に基づいて、マルチプレクサ４０がセンサ毎に選択出力し、閾値検出部４１に入力される。センサ毎の検出データは、選択条件メモリ４５に予め記憶されている不正判定の閾値データと比較演算され、限界の閾値データを越えると不正判定される。不正判定データは、０・１データ又は０・１・２・３・・などのランクデータの場合とが有る。ＩＤ重畳部４２は、該不正判定データにセンサ種別もしくは不正種別のＩＤ及び機器ＩＤを重畳した不正通知データを生成し、通信制御手段５に出力する。
【００２８】ＩＤメモリ４４には、シーケンス制御プログラム、機器ＩＤ、センサ種別ＩＤなどが、予め記憶されている。選択制御部４３は、該シーケンス制御プログラムに沿って、マルチプレクサ４０、閾値検出部４１などを制御すると共にＩＤ重畳部４２に選択中の機器ＩＤ及びセンサ種別ＩＤなどを通知する。
【００２９】［複数の遊技機への対応］
以上に説明は、一台の遊技機に一台の不正防止装置が対応する前提で行って来た。多数の遊技機に対応する場合、複数組の検出データ変換手段３を増設することにより、一台の不正防止装置で複数の遊技機に対応することが出来る。
【００３０】［通信制御］
通信制御手段５は前記の不正通知データを、直接伝送、ＬＡＮ（Ｌｏｃａｌ  Ａｒｅａ  Ｎｅｔｗｏｒｋ）などの伝送手段を用いて、通信回線２１０経由で監視サーバ装置２００に送出する。
又、通信制御手段５に無線ＬＡＮのような無線伝送手段を採用すると、新たに本不正防止装置を導入する場合通信回線の工事が不要となり、新規導入が容易となる。
【００３１】［不正行為の防止処理］
監視サーバ装置２００は、不正通知データを受信すると、店舗内の警報システムに不正警報を通知すると共に、発生時刻、不正発生機器、不正種別などを記憶部に記憶登録する。
【発明の効果】
本発明は、以上に説明した内容で実施され、以下の効果を奏する。
遊技機の不正改造、ＣＰＵボックスの不正交換並びに不正開封などの不正操作を検出する複数のセンサ手段と、該複数のセンサ手段からのアナログ検出信号よりデジタル検出データを変換出力する検出データ変換手段と、該複数のデジタル検出データより不正検出データを選択出力する不正検出手段と、該不正検出データを直接伝送もしくはＬＡＮなどの通信回線を経由して、不正行為を監視している監視サーバ装置に通信出力する通信制御手段とで構成することにより、検出信号より不正検出センサ毎に予め定めた不正データを抽出し、遊技機毎に通信回線を経由して不正監視サーバ装置に通知する遊技機の不正防止装置の提案がなされた。
【図面の簡単な説明】
【図１】本発明による遊技機の不正防止システムの第一の実施例の構成である。
【図２】本発明による各種センサの実施例の構成図である。
【図３】本発明による各種センサの実施例の構成図である。
【図４】本発明による遊技機の不正防止装置の第二の実施例の構成図である。
【符号の説明】
１  不正防止装置
２  センサ手段
３  検出データ変換手段
４  不正検出手段
５  通信制御手段
２０  フレキ基板（Ｍ）
２０ａ、２２ａ、２５ａ  ＣＯＭ導体パターン
２０ｂ、２２ｂ、２５ｂ  ＧＮＤ導体パターン
２０ｃ、２２ｃ、２５ｃ  ＯＵＴ導体パターン
２０Ｒ  抵抗体
２１  フレキ基板（Ｓ）
２１ａ  スペーサ
２１ｂ  第一のスイッチ導体パターン
２１ｃ  第二のスイッチ導体パターン
２１ｄ  剥離スイッチ導体パターン
２１ｅ  スペーサもしくは弾性体
２２、２５  基板もしくはフィルム
２２Ｍ  磁気感応素子（ＭＲ素子）
２３  ポリエステルフィルム
２３ａ、２３ｂ、２３ｃ  電極パターン
２５Ｕ  超音波マイクロホン
３１、３３  バッハーアンプ
３２  Ａ／Ｄ
３４  ＢＰアンプ
３５  検波部
３６  平衡型バッハーアンプ
３７  高周波ＢＰアンプ
３８  高インピーダンスアンプ
３９  ＬＰＦ
４０  マルチプレクサ
４１  閾値検出部
４２  ＩＤ重畳部
４３  選択制御部
４４  ＩＤメモリ
４５  選択条件メモリ
１００  遊技機本体
１０３  外枠
１０４  ＣＰＵボックス
１０５  封印バンド
１０６  封印コネクタ
１０７  ホック
２００  監視サーバ装置
２０１  通信回線
２０１、２０２、２０３、２２１、２２２、２２３  リード線
２３４  シルード付平衡ケーブル
【図１】
2004223186.tif 000003
【図２】
2004223186.tif 000004
【図３】
2004223186.tif 000005
【図４】
2004223186.tif 000006